(57)【要約】
【課題】使用していない場合にテーブルを完全に一本となるよう収合でき、保管や携帯に便利な折合テーブルの構造改良を提供すること。
【解決手段】Ｈ字型棚１１、バッファーパッキンク１２、下方固定ブロック１３、旋転ピボット１４、ジョイントブロック１５、旋転構造１６、及びいくらかのリベットなど部品から構成した。Ｈ字型棚１１の一方には二つの通し孔１１２があり、他方には爪形ブロック１１３が設置されている。バッファーパッキング１２は柔らかな矩形の塊であり、Ｈ字型棚１１の上方表面１１１に設置され、下方固定プロック１３には二つの通し孔があり、下方固定ブロック１３はＨ字型棚１１の下方の一端に設置され、旋転ピボット１４は下方固定ブロック１３の下に設置されている。ジョイントブロック１５は旋転ピボット１４の下に設置され、旋転構造１６はジョイントブロック１５の下に設置されている。
【選択図】図２
0003100796.tif 000002
【実用新案登録請求の範囲】
【請求項１】
一種の「折合テーブルの改良構造」であって、主要な品物はＨ字型棚と、バッファーパッキングと、下方固定ブロックと、旋転ピボットと、ジョイントブロックと、旋転構造とからなり、このうち；
Ｈ字型棚の上方表面の一方には二つの通し孔があり、他方の下方表面には爪形ブロックが設置されており；
バッファーパッキングは柔らかな矩形の塊であり、Ｈ字型棚の上方表面に設置され；
下方固定ブロックの上方表面には二つの通し孔があり、下方表面の一方に１つの凸顎が設置され、凸顎の上端に通し孔があり、下方固定ブロックはＨ字型棚の下方の一端に設置され；
旋転ピボットの上方表面の真中に通し孔があり、また、上方表面の先、後端に二つの凸顎が設置してあり、凸顎の上端に通し孔があり、旋転ピボットは下方固定ブロックの下に設置されており、；
ジョイントブロックは上凸体の先端の上方表面に一つの通し孔があり、通し孔は下方表面まで通してあり、また後端に円凸出物が設置されていて、円凸出物の上方表面に通し孔があって、深さは大通し孔まで通してあり、大通し孔はジョイントブロックの右方面から左方面まで貫通し、また、上凸体の下縁に同じ形の下凸体が設置され、両方の真中に透き間があり、更に、ジョイントブロックは旋転ピボットの下に設置され；
旋転構造の下方の短い円柱状物の両方には凸出物があり，また上方表面に一本の螺旋ロッドが設置されて、更に旋転構造はジョイントブロックの下に設置されており、
第１のリベットでＨ字型棚の上方表面にある通し孔を通り抜けさせ、下方固定ブロックの上方表面にある通し孔と鋲接させ、また、バッファーパッキングをＨ字型棚の上方表面に固着させてから、第２のリベットで旋転ピボットの上方表面にある通し孔を通り抜けさせ、次に、ジョイントブロックの円凸出物の表面にある通し孔と鋲接させ、第３のリベットで旋転ピボットの凸顎にある通し孔と下方固定ブロックの凸顎にある通し孔とを通り抜けさせて鋲接させることにし、そして、ロッドで、ジョイントブロックの大通し孔をねらいとして定めて入れて、すぐ旋転構造に設置されていた螺旋ロッドをジョイントブロックにある通し孔に入れ、旋転機能により、ジョイントブロックをロッドに固着させることができるようにしたことを特徴とする折合テーブルの改良構造。
【請求項２】
一種の「折合テーブルの改良構造」が収合する時、ロッドを折合テーブル支柱に設置されていた半円套管から脱落させ、９０度回転し、旋転構造を脱落させ、そして、折合テーブル支柱で、ロッドを中心として１８０度回転させ、旋転構造で折合テーブル改良構造をロッドに固定させるようにし、最後に、折合テーブル支柱にある入れ子にロッドを入れるように１８０度旋転させ、折合テーブルを内側に一体的に集めて一本となるように折り畳んで、本考案品の収合を完成することができ、この設計により使用者が便利に携帯や収納することができるようにしたことを特徴とする請求項１記載の折合テーブルの改良構造。
【考案の詳細な説明】
【技術分野】
【０００１】
本考案は一種の折合テーブルの改良構造に関するもので、特に折合テーブルの使用により、迅速的に一本に折り畳んで、体積を減少させ、保管や携帯などの便利性を提供することができる折合テーブルの改良構造に関する。
【背景技術】
【０００２】
現在、―般に使用されている折合テーブルは構成（組み合わせ）の手順が繁雑で、テーブル表面が往々に支柱に固定されていたので、収合作業に体積を減少できないし、使用者にとって面倒臭いことになってしまう。それに、テーブル表面が固定されていたので、ほかの品物で代わることができなく、例え、バーベキュー炉などをその上に置いたら、揺らぎやすくて倒れて、使用者を傷つける恐れがあるかもしれないと思われている。
【考案の開示】
【考案が解決しようとする課題】
【０００３】
このことに鑑み、本考案者は改良を考え、実際の経験を踏まえた上で不断の研究構想を重ね、一種の「折合テーブルの改良構造」を考案した。本考案品の設計により、使用していない場合にテーブルを完全に一本となるように収合でき、保管や携帯に便利である。本考案設計の目的は、一種の折合テーブルの改良構造の提供である。
【課題を解決するための手段】
【０００４】
本考案品の主な構造は以下のように詳細説明する。まず、図１、図２、図３の折合テーブル改良構造（１）を参照して説明する。主要な品物はＨ字型棚（１１）と、バッファーパッキング（１２）と、下方固定ブロック（１３）と、旋転ピボット（１４）と、ジョイントブロック（１５）と、旋転構造（１６）とからなり、このうち；
Ｈ字型棚（１１）の上方表面（１１１）の一方には二つの通し孔（１１２）があり、他方の下方表面には爪形ブロック（１１３）が設置されている；
バッファーパッキング（１２）は柔らかな矩形の塊であり、Ｈ字型棚（１１）の上方表面（１１１）に設置され；
下方固定ブロック（１３）の上方表面（１３１）には二つの通し孔（１３２）があり、下方表面の一方に１つの凸顎（１３３）が設置されている。凸顎（１３３）の上端に通し孔（１３４）があり、下方固定ブロック（１３）はＨ字型棚（１１）の下方の一端に設置され；
旋転ピボット（１４）の上方表面（１４３）の真中に通し孔（１４４）があり、また、上方表面（１４３）の先、後端に二つの凸顎（１４１）が設置してある。凸顎（１４１）の上端に通し孔（１４２）があり、旋転ピボット（１４）は下方固定ブロック（１３）の下に設置されている；
ジョイントブロック（１５）は上凸体（１５１）の先端の上方表面（１５２）に一つの通し孔（１５３）があり、通し孔（１５３）は下方表面まで通してある。また後端に円凸出物（１５４）が設置されていて、円凸出物（１５４）の上方表面に通し孔（１５５）があって、深さは大通し孔（１５６）まで通してある。大通し孔（１５６）はジョイントブロック（１５）の右方面から左方面まで貫通し、また、上凸体（１５１）の下縁に同じ形の下凸体（１５７）が設置され、両方の真中に透き間（１５８）がある。更に、ジョイントブロック（１５）は旋転ピボット（１４）の下に設置され；
旋転構造（１６）の下方の短い円柱状物（１６１）の両方には凸出物（１６２）があり，また上方表面（１６３）に一本の螺旋ロッド（１６４）が設置されて、更に旋転構造（１６）はジョイントブロック（１５）の下に設置されている。
【０００５】
本考案の組み合わせる手順は以下のように説明する。
【０００６】
まず第１のリベット（１７）でＨ字型棚（１１）の上方表面（１１１）にある通し孔（１１２）を通り抜けさせ、下方固定ブロック（１３）の上方表面（１３１）にある通し孔（１３２）と鋲接させる。また、バッファーパッキング（１２）をＨ字型棚（１１）の上方表面（１１１）に固着させてから、第２のリベット（１８）で旋転ピボット（１４）の上方表面（１４３）にある通し孔（１４４）を通り抜けさせる。次に、ジョイントブロック（１５）の円凸出物（１５４）の表面にある通し孔（１５５）と鋲接させ、第３のリベット（１９）で旋転ピボット（１４）の凸顎（１４１）にある通し孔（１４２）と下方固定ブロック（１３）の凸顎（１３３）にある通し孔（１３４）とを通り抜けさせて鋲接させることにした。そして、ロッド（２１）で、ジョイントブロック（１５）の大通し孔（１５６）をねらいとして定めて入れて、すぐ旋転構造（１６）に設置されていた螺旋ロッド（１６４）をジョイントブロック（１５）にある通し孔（１５３）に入れる。旋転機能により、ジョイントブロック（１５）をロッド（２１）に固着させることができるようにした。
【考案の効果】
【０００７】
本考案は一種の「折合テーブルの改良構造」に関するもので、主にＨ字型棚とバッファーパッキング（スポンジ製）、下方固定ブロック、旋転ピボット、ジョイントブロック、旋転構造及びいくらかのリベットなどの部品から構成した。上述の部品により、折合テーブルを一本に折り畳んで、体積を減少させ、便利に保管や持ち運びの目的を提供することができる。
【０００８】
更に、收合と展開作業が迅速で、構造は安全確実なので、全体的に見て極めて優れた便利性と実用性を具えている設計である。更に、使用者が素早く展開することができ、テーブル表面やバーベキュー炉などをその上に置いても、動きやすくなく、完全確実な構造を提供することもできる。
【考案を実施するための最良の形態】
【０００９】
本考案の構造の特徴及び特長を明確に説明ために添付図を利用して以下に詳細説明する。まず、図４は本考案である折合テーブル改良構造（１）を折合テーブル支柱（２）に設置する立体外観図である、ロッド（２１）を二つの半円套管（２２）の中に入れ、ボルト（２３）で旋転可能に結合させる。更に爪形ブロック（１１３）をロッド（２１）に押し込んで、本考案の折合テーブル支柱の構成が完成することができるようにした。
次に、使用者が折合テーブルを収合する時に、図５、図６、図７及び図８を参照して説明する。まず、ロッド（２１）を折合テーブル支柱（２）に設置されていた半円套管（２４）から脱落させ、９０度回転し、旋転構造（１６）を脱落させる。そして、折合テーブル支柱（２）で、ロッド（２１）を中心として１８０度回転させ、旋転構造（１６）で折合テーブル改良構造（１）をロッド（２１）に固定させるようにする。
【００１０】
最後に、折合テーブル支柱（２）にある入れ子（２５）にロッド（２１）を入れるように１８０度旋転させ、折合テーブル支柱（２）を内側に一体的に集めて一本となるように折り畳んで、本考案品の収合を完成することができる。この設計により使用者が便利に携帯や収納することができるようにした。
【００１１】
本考案の図９を参照して説明する。折合テーブルの構成が完成した後、テーブル表面（３）を折合テーブル改良構成（１）に設置されていたバッファーパッキング（１２）の上に置くことができるだけではなく、テーブル表面（３）も動きやすくないことになる。更に、本考案の図１０を参照すると、バーベキュー炉（４）を折合テーブル改良構造（１）にあるバッファーパッキング（１２）の上に置くと、使用者がバーベキュー活動を楽しむことができるようにした。
【００１２】
上述から、本考案の「折合テーブルの改良構造」は素早く展開することができるだけではなく、テーブル表面やバーベキュー炉などをその上に置いて使用することができる。また、収合作業に、迅速に折合テーブル支柱を内側に一体的に集めて一本となるように折り畳んで、優れた携帯性と便利性を提供する。
【００１３】
このため、本考案の設計は創造力溢れる優良なものであり、実用新案登録の要件に符合するため、ここに法に則り本出願を提出する。
【図面の簡単な説明】
【００１４】
【図１】本考案の立体外観図である。
【図２】本考案の立体分解図である。
【図３】本考案の主な構造分解図である。
【図４】考案の折合テーブル支柱に設置する立体図である。
【図５】本考案の収合する実施図（１）である
【図６】本考案の収合する実施図（２）である
【図７】本考案の収合する実施図（３）である
【図８】本考案の収合する実施図（４）である
【図９】テーブル表面を本考案品の上に置く立体図である。
【図１０】バーベキュー炉を本考案品の上に置く立体図である。
【符号の説明】
【００１５】
（１）      折合テーブル改良構造
（１１）    Ｈ字型棚
（１１１）  上方表面
（１１２）  通し孔
（１１３）  爪形ブロック
（１２）    バッファーパッキング
（１３）    下方固定ブロック
（１３１）  上方表面
（１３２）  通し孔
（１３３）  凸顎
（１３４）  通し孔
（１４）    旋転ピボット
（１４１）  凸顎
（１４２）  通し孔
（１４３）  上方表面
（１４４）  通し孔
（１５）    ジョイントブロック
（１５１）  上凸体
（１５２）  上方表面
（１５３）  通し孔
（１５４）  円凸出物
（１５５）  通し孔
（１５６）  大通し孔
（１５７）  下凸体
（１５８）  透き間
（１６）    旋転構造
（１６１）  短い円柱状物
（１６２）  凸出物
（１６３）  上方表面
（１６４）  螺旋ロッド
（１７）    リベット（第１のリベット）
（１８）    リベット（第２のリベット）
（１９）    リベット（第３のリベット）
（２）      折合テーブル支柱
（２１）    ロッド
（２２）    半円套管
（２３）    ボルト
（２４）    半円套管
（２５）    入れ子
（３）      テーブル表面
（４）      バーベキュー炉
【図１】
0003100796.tif 000003
【図２】
0003100796.tif 000004
【図３】
0003100796.tif 000005
【図４】
0003100796.tif 000006
【図５】
0003100796.tif 000007
【図６】
0003100796.tif 000008
【図７】
0003100796.tif 000009
【図８】
0003100796.tif 000010
【図９】
0003100796.tif 000011
【図１０】
0003100796.tif 000012